(57)【特許請求の範囲】
【請求項１】
ドレンパンの底板とドレン管部と冷凍・冷蔵庫の冷気の循環用ファンの周辺部と冷凍・冷蔵庫本体の正面周壁面に霜取り用のヒーター装置を備えた防爆型冷凍・冷蔵庫において、
前記ヒーター装置を、電圧が印加される平行に配線された２本の導線（４４ａ）と、この２本の導線（４４ａ）の間を帯状に連結すると共に温度上昇に従って抵抗値が増大する導電性ポリマー発熱体から成る自己制御型発熱抵抗体（４６）と、この自己制御型発熱抵抗体（４６）の外周を電気的に絶縁する絶縁被覆（４８）とから成る彎曲自在な自己制御型ヒーター線（４２）の一端を電源印加用の電源接続部（６０）とすると共に、その他端を絶縁性キャップを外嵌して電気的に絶縁した端末処理部（５４）として前記発熱抵抗体（４６）の温度を爆発性雰囲気の発火温度以上に温度上昇させない構成の自己制御型ヒーター装置（４０）に、
前記ドレンパン（３６）の底部を、底板（３６ａ）と下受皿（３６ｂ）との間に断熱材（６２）を充填した断熱構造にすると共に、底板（３６ａ）の下面側に所定長さの帯状の垂下板（６６）を断熱材（６２）内へ突出せしめた状態で固設し、当該垂下板（６６）の側面に沿って前記自己制御型ヒーター線（４２）をシリコン樹脂充填材（６４）により固定した構成に、
前記ドレン管部を、ドレン管（７０）に沿ってその長さ方向に自己制御型ヒーター線（４２）を接触させて配設すると共に、前記度ドレン管（７０）と自己制御型ヒーター線（４２）とを断熱材（７４）並びに金属泊（７２）により囲繞した構成に、
前記冷気循環用ファン（２８）の近傍の本体空間（１２）内の冷気を冷却器（３４）へ導入する仕切板（３２）を、下方へ突出せしめた環状突起（３２ａ）によりファン（２８）の外径により大径の開口部（３０）を形成すると共に、前記環状突起（３２ａ）の外周面に自己制御型ヒーター線（４２）を巻回した構成に、
前記冷凍・冷蔵庫本体（６）を形成する断熱構造の側面（１４）の正面周壁面（１０）側を、側面（１４）を形成する内壁面（６ａ）の正面周壁面（１０）側の内面に四角状の本体開口に沿って自己制御型ヒーター線（４２）を巻回固定すると共に、内壁面（６ａ）の前記巻回固定した自己制御型ヒーター線（４２）より奥部側の位置に前記自己制御型ヒーター線（４２）に沿って帯状の断熱部材（８０）を介挿するための開口部を設け、当該内壁面（６ａ）に設けた開口部へ断熱部材（８０）を介挿することにより前記自己制御型ヒーター線（４２）の熱が内壁面（６ａ）へ伝わるのを防止した構成に、
夫々したことを特徴とする自己制御型ヒーター装置を用いた防爆型冷凍・冷蔵庫。
【発明の詳細な説明】
【０００１】
【発明が属する技術分野】
本発明は爆発性雰囲気の中で使用される自己制御型ヒーター装置を用いた防爆型冷凍・冷蔵庫に関し、更に詳細には、使用するヒーターが、爆発性雰囲気の中でヒーターを通電加熱しても温度上昇と共にヒーターの電気抵抗が急激に増大し、爆発性雰囲気の発火温度よりも低い温度でヒーターの発熱電力がほぼゼロに達すると言う自己制御性を有するために爆発性雰囲気の誘爆が生じないようにした、自己制御型ヒーター装置を用いた防爆型冷凍・冷蔵庫に関するものである。
【０００２】
【従来の技術】
一般に、電気加熱方式には種々のタイプがあり、使用するヒーターのタイプに応じて設計方法、施工方法、保守方法が異なり、更に、信頼性や安全性や耐久性に関しては、加熱される対象や設備のグレードに応じた検討が必要である。
【０００３】
特に、ヒーターの作動により対象設備の温度は上昇するが、他方で対象設備には固有の温度限界が存在する。ヒーターの作動を続けることにより、対象設備の温度限界を超えると、種々の問題が発生する。
【０００４】
従来、被加熱対象設備が上限温度を超えないようにするには、上限温度の近傍に達すると、ヒーター装置を自動的にオフにするサーモスタットのような温度制御回路を必要としていた。
【０００５】
【発明が解決しようとする課題】
温度制御回路が安定して動作している間は、ヒーターの通電加熱により対象設備の温度が上昇しても、対象設備が上限温度に達した段階でヒーター回路が強制的に遮断され、また温度低下すればヒーター回路が自動的にオンになり、その結果対象設備が上限温度以下の所定温度に安定して保持されることになる。
【０００６】
ところが、この温度制御回路が故障したときには、上限温度に達してもヒーター回路が遮断されず、温度上昇が更に継続するという事態が出現する。
本発明が対象とする爆発性雰囲気内で使用される防爆型冷凍・冷蔵庫においては、このような温度制御回路の故障は取り返しのつかない事態を生起する。
【０００７】
爆発性雰囲気の中で使用される防爆型冷凍冷蔵庫は、電気系統の火花放電により爆発性雰囲気を誘爆して大惨事を引き起こすと言う危険性がある。そこで、爆発性雰囲気で使用される冷凍冷蔵庫には防爆化処理が施され、電気火花を発生させない工夫が多段に行なわれている。
【０００８】
爆発性雰囲気を誘爆する原因は電気火花だけではなく、発火温度も関係している。冷凍冷蔵庫では、通常霜取り作業が電気ヒーターで行なわれており、これらの温度は爆発性雰囲気の発火温度以下に常時設定されている。
【０００９】
ところが、ヒーター装置の温度制御回路が故障したときには、温度制御機能が作動しないため、爆発性雰囲気の発火温度以上に温度が上昇する危険性がり、万一ヒーター加熱される部分の温度が発火温度を超えると、爆発性雰囲気に引火し、これが引き金となって爆発が生じると、取り返しのつかない大惨事となる。
【００１０】
換言すると、爆発性雰囲気の中で使用される電気ヒーターに関しては、電気火花の発生防止以外に、ヒーターに故障等が生じても、爆発性雰囲気の発火温度以上に温度が上昇しない特別な処理が必要となる。
【００１１】
従って、本発明は、爆発性雰囲気の中で使用される防爆型冷凍・冷蔵庫において、使用している電気ヒーターに、故障等の如何なる事態が生じても、爆発性雰囲気の発火点以上に温度が上昇しないようにした防爆型冷凍・冷蔵庫を提供することを発明の主たる目的とするものである。
【００１２】
【課題を解決するための手段】
請求項１の発明は、ドレンパンの底板とドレン管部と冷凍・冷蔵庫の冷気の循環用ファンの周辺部と冷凍・冷蔵庫本体の正面周壁面に霜取り用のヒーター装置を備えた防爆型冷凍・冷蔵庫において、
前記ヒーター装置を、電圧が印加される平行に配線された２本の導線４４ａと、この２本の導線４４ａの間を帯状に連結すると共に温度上昇に従って抵抗値が増大する導電性ポリマー発熱体から成る自己制御型発熱抵抗体４６と、この自己制御型発熱抵抗体４６の外周を電気的に絶縁する絶縁被覆４８とから成る彎曲自在な自己制御型ヒーター線４２の一端を電源印加用の電源接続部６０とすると共に、その他端を絶縁性キャップを外嵌して電気的に絶縁した端末処理部５４として前記発熱抵抗体４６の温度を爆発性雰囲気の発火温度以上に温度上昇させない構成の自己制御型ヒーター装置４０に、
前記ドレンパン３６の底部を、底板３６ａと下受皿３６ｂとの間に断熱材６２を充填した断熱構造にすると共に、底板３６ａの下面側に所定長さの帯状の垂下板６６を断熱材６２内へ突出せしめた状態で固設し、当該垂下板６６の側面に沿って前記自己制御型ヒーター線４２をシリコン樹脂充填材６４により固定した構成に、
前記ドレン管部を、ドレン管７０に沿ってその長さ方向に自己制御型ヒーター線４２を接触させて配設すると共に、前記度ドレン管７０と自己制御型ヒーター線４２とを断熱材７４並びに金属泊７２により囲繞した構成に、
前記冷気循環用ファン２８の近傍の本体空間１２内の冷気を冷却器３４へ導入する仕切板３２を、下方へ突出せしめた環状突起３２ａによりファン２８の外径により大径の開口部３０を形成すると共に、前記環状突起３２ａの外周面に自己制御型ヒーター線４２を巻回した構成に、
前記冷凍・冷蔵庫本体６を形成する断熱構造の側面１４の正面周壁面１０側を、側面１４を形成する内壁面６ａの正面周壁面１０側の内面に四角状の本体開口に沿って自己制御型ヒーター線４２を巻回固定すると共に、内壁面６ａの前記巻回固定した自己制御型ヒーター線４２より奥部側の位置に前記自己制御型ヒーター線４２に沿って帯状の断熱部材８０を介挿するための開口部を設け、当該内壁面６ａに設けた開口部へ断熱部材８０を介挿することにより前記自己制御型ヒーター線４２の熱が内壁面６ａへ伝わるのを防止した構成に、
夫々したことを発明の基本構成とするものである。
【００１３】
【発明に実施の形態】
以下に、本発明に係る自己制御型ヒーター装置を用いた防爆型冷凍・冷蔵庫の実施形態を図面に従って説明する。特に、本発明に係る防爆型冷凍・冷蔵庫は爆発性雰囲気の中で使用される防爆処理を施したものを総称しており、以下ではこの中の典型例を掲げて本発明の内容を説明する。
【００１４】
図１は本発明の一実施形態である防爆型冷凍冷蔵庫の概略斜視図である。この防爆型冷凍冷蔵庫２では、電気火花を発生する可能性のある電気関係・機器部材は全て耐圧防爆容器４の中に配設され、耐圧防爆容器４の中の爆発性雰囲気が仮に爆発しても、その火炎は耐圧防爆容器４に遮断されて外部の爆発性雰囲気を誘爆しないように構成されている。
【００１５】
耐圧防爆容器４の下側に冷凍冷蔵庫の本体６があり、本体６は固定脚からなる脚部８により床面の所要位置に固定されている。本体６の正面には四角状の正面周壁面１０があり、内部には庫室となる本体空間１２が存する。
【００１６】
本体空間１２は両側の側面１４、１４と底面１６と背面１８と天井面２０によって囲繞され、正面は開閉扉２２により開閉自在に設けられている。開閉扉２２の内面側には、四角状の周壁面２４の中央に凸面２６が形成されている。この凸面２６は本体空間１２に入り込み、周壁面２４は前述した正面周壁面１０と密着して本体空間１２を冷却空間として外部と隔離する。
【００１７】
天井面２０には本体空間１２から矢印ａ方向に空気を吸引するファン２８が取着され、下方には開口部３０を開けた仕切板３２が水平に配置されている。ファン２８により吸引された空気は冷却器３４に入り、その側面から矢印ｂ方向に排出される。空気は矢印ｃ方向に回転してファン２８により再び吸引され、本体空間１２の中を冷却空気の対流が生じている。
【００１８】
冷却器３４によって本体空間１２の中は冷却される。冷却器３４の下面側にはドレンパン３６が配置されており、不要な水をドレンパン３６に貯留するように構成されている。
【００１９】
この防爆型冷凍冷蔵庫２の必要部位には本発明に係る自己制御型ヒーター装置４０が設けられており、霜取り動作時にはこの自己制御型ヒーター装置４０が作動して霜を融解する。図１には自己制御型ヒーター装置４０は明示されていないが、この自己制御型ヒーター装置４０は自己制御型ヒーター線４２を所要形状に配線して構成される。
【００２０】
また、後述するように、この自己制御型ヒーター線４２の一端は端末処理部５４として電気的に絶縁され、他端は電源接続部６０として電圧が供給される。電圧が印加されると、自己制御型ヒータ線４２で通電発熱し、霜取りされる領域の霜を融解する。
【００２１】
図２は本発明に用いられる自己制御型ヒーター線の概略図である。この自己制御型ヒーター線４２は、２本の導線４４ａ、４４ｂを所定幅で平行に配線し、これらの導線４４ａ、４４ｂを取り巻くように自己制御型発熱抵抗体４６を形成する。この自己制御型発熱抵抗体４６は、例えば導電性ポリマー発熱体で構成されている。
【００２２】
自己制御型発熱抵抗体４６の外周には電気絶縁用の絶縁被覆４８が形成され、その外側にはすずメッキ銅からなる金属編組５０が形成され、全体の機械的強度を増大させている。金属編組５０の外側には外層被覆５２が形成され、耐薬品特性や耐食性の向上が図られている。この自己制御型ヒーター線４２の一端は電源接続部６０として電源５５が接続され、直流電圧Ｖが印加されている。勿論、交流電圧が印加されてもよい。
【００２３】
この自己制御型ヒーター線４２の特徴の一つは、電気火花を放出する危険性がないことである。導線４４ａ、４４ｂは自己制御型発熱抵抗体４６で被覆されているから導線が露出しない。また、自己制御型発熱抵抗体４６の周面は滑らかに成形されている。しかも自己制御型発熱抵抗体４６は絶縁被覆４８、金属編組５０及び外層被覆５２の三層で完全に被覆されており、電気火花が生じる事はなく、爆発性雰囲気を誘爆する危険性はない。
【００２４】
図３は本発明に用いられる自己制御型ヒーター線の電流図である。電圧の印加によって導線４４ａはプラス極、導線４４ｂはマイナス極となり、導線４４ａから導線４４ｂに対し自己制御型発熱抵抗体４６の幅方向、即ち矢印方向に電流が流れる。この自己制御型ヒーター線４２の特徴は電流が幅方向に流れるのであり、一般の電線のように長手方向に流れるものではない。
【００２５】
図４は自己制御型ヒーター線の電気特性図である。前述したように、自己制御型発熱抵抗体４６は、例えば導電性ポリマー発熱体から形成され、この導電性ポリマー発熱体は通電発熱により温度が上昇すると、電気抵抗が急激に増大する特性を有する。
【００２６】
一般に、金属の抵抗Ｒは温度ｔに対し、Ｒ＝Ｒ0（１＋αｔ＋βｔ2＋・・）という関係を有している。金属では２次温度係数βは小さいので、温度上昇に対し抵抗Ｒは直線的に増加するが、本発明の自己制御型発熱抵抗体は非線形特性が極めて大きい点に特徴を有する。
【００２７】
従って、この発明では２次温度係数β以上の非線形温度係数が大きな値を有し、図４に示すように抵抗Ｒが温度ｔに関し急激に増大する。印加電圧をＶとすると、発熱電力ＷはＷ＝Ｖ2／Ｒで与えられる。従って、抵抗Ｒが急激に増大すると、発熱電力Ｗが急激に減少し、最大温度Ｔ0になるとほぼＷ＝０となって放熱との均衡でそれ以上温度上昇しなくなる点が存在する。このような性質を自己制御性と呼んでいる。
【００２８】
この発明の自己制御型ヒーター線を使用すると、このヒーター線を埋設した部位の温度は最大温度Ｔ0以上には増大しなくなる。爆発性雰囲気の発火温度をＴ1としたとき、Ｔ0＜Ｔ1を満足するように最大温度Ｔ0を設定しておけば、自己制御型ヒーター線の自己特性によって爆発性雰囲気の発火が本質的に防止できるのである。
【００２９】
爆発性雰囲気の種類によって発火温度は異なる。従って、爆発性雰囲気の種類によって発火温度Ｔ1が決るから、Ｔ0＜Ｔ1を満たすような最大温度Ｔ0を有する自己制御型発熱抵抗体を選択して、自己制御型ヒーター線を構成すればよい。
【００３０】
一般に、爆発性ガスの発火温度に応じて、耐圧防爆容器の外表面の温度上昇限度が工場電気設備防爆指針（労働省産業安全研究所・１９７９年・ガス蒸気防爆に関する日本国内規格）に定められている。取り扱われる爆発性ガスの種類に応じて発火度をＧ１〜Ｇ６の６段階に分類し、各発火度に対して温度上昇限度が表１のように決められている。
【００３１】
＜表１＞耐圧防爆容器外表面の温度上昇限度
＜発火度＞        ＜発火温度＞          ＜温度上昇限度＞
Ｇ１                Ｔ＞４５０℃        ３２０℃
Ｇ２      ４５０℃≧Ｔ＞３００℃        ２００℃
Ｇ３      ３００℃≧Ｔ＞２００℃        １２０℃
Ｇ４      ２００℃≧Ｔ＞１３５℃          ７０℃
Ｇ５      １３５℃≧Ｔ＞１００℃          ４０℃
Ｇ６      １００℃≧Ｔ＞８５℃            ３０℃
【００３２】
表１の温度上昇限度は耐圧防爆容器の外表面の温度であるから、これに沿ってＧ１〜Ｇ６に従って最大温度Ｔ0を温度上昇限度（Ｔ1に相当）以下に設定すれば、爆発性雰囲気の発火による誘爆は防止できることになる。
【００３３】
本発明の自己制御型ヒーター装置４０は、防爆型冷凍・冷蔵庫の加熱制御部位に配置されるから、前記温度上昇限度はこの加熱制御部位の最大温度に相当する。従って、加熱制御部位の最大加熱温度が発火度Ｇ１〜Ｇ６に対応して温度上昇限度Ｔ1以下になるように、前記最大温度Ｔ0を設定しなければならない。このような設定によって、霜取りのような加熱動作を爆発性雰囲気の中で行なっても誘爆を未然に防止することができるのである。
【００３４】
図５は自己制御型ヒーター線の端末処理部の断面図である。導線４４の周囲は自己制御型発熱抵抗体４６、絶縁被覆４８、金属編組５０、外層被覆５２の４層構造となっている。この自己制御型ヒーター線４２の端末に絶縁性キャップを外嵌して端末処理部５４とし、端末を電気絶縁して安全性を付与している。
【００３５】
図６は、防爆型冷凍・冷蔵庫の前記図１のドレンパン３６に設けられた自己制御型ヒーター装置の概略斜視図である。ドレンパン３６は水溜めとして機能するもので、冷凍時にはこの水が内部で凍結する。そこで、ドレンパン３６の底板３６ａに自己制御型ヒーター４２を渦巻き配線して自己制御型ヒーター装置４０が形成されている。自己制御型ヒーター線４２の渦巻き中心にある一端は端末処理部５４となり、他端は耐圧防爆容器４内へ延設される電源接続部６０となっている。
【００３６】
図７は図６のＡ−Ａ線要部断面図である。ドレンパン３６の実際の構造は、底板３６ａの下面に垂下板６６を渦巻状に固定し、この垂下板６６に沿って自己制御型ヒーター線４２を巻回し、更にシリコン充填部６４により自己制御型ヒーター線４２を垂下板６６に固定している。
【００３７】
底板３６ａの下部にはグラスウール等の断熱材６２を介して下受皿３６ｂが配置され、ドレンパン３６の底全体が断熱構造に設計されている。冷凍冷蔵庫の霜取り動作時にはドレンパン３６の霜取りも同時に行い、自己制御型ヒーター装置４０を作動させてドレンパンに固結した氷を除去する。
【００３８】
図８はドレン管７０に設けられた自己制御型ヒーター装置の概略断面図である。ドレン管部は、流下してきた水をドレンパン３６や排水溝に誘導するものである。この水が冷凍時にはドレン管７０の内面に固結する。そこで、ドレン管７０の下面長手方向に沿って自己制御型ヒーター線４２を配線して自己制御型ヒーター装置４０を構成し、霜取り制御できるようになっている。
【００３９】
自己制御型ヒーター線４２とドレン管７０の周りはアルミ箔テープ７２を巻回して固定され、その周りには断熱材７４を巻回した後、更にアルミ箔テープ７６を巻回して一体化している。
【００４０】
図９は図８のＢ−Ｂ線断面図である。前述した自己制御型ヒーター線４２の組付け構造が示されている。冷凍冷蔵庫の霜取り動作時にドレン管７０の自己制御型ヒーター装置４０を作動させてドレン管７０の霜取り動作も同時に行なう。
【００４１】
図１０は図１のファン近傍に設けられた自己制御型ヒーター装置の概略断面図である。仕切版３２を下方に切り起こして環状突起３２ａを形成し、開口部３０を開いている。この開口部３０にはファン２８が配置され、冷凍冷蔵庫の空気を循環させる機能を有する。
【００４２】
環状突起３２ａの外周面には自己制御型ヒーター線４２を巻回して自己制御型ヒーター装置４０が構成されている。冷凍冷蔵庫の霜取り動作時にファン近傍のの自己制御型ヒーター装置４０を作動させて仕切板３２やファン近傍の霜取り動作を行なう。
【００４３】
図１１は冷凍庫本体の正面周壁面１０に設けられた自己制御型ヒーター装置の概略説明図である。本体空間１２を取り囲む正面周壁面１０に自己制御型ヒーター線４２を四角状に配線し、一端を端末処理部５４、他端を耐圧防爆型容器４内へ延設する電源接続部６０として自己制御型ヒーター装置４０を構成する。
【００４４】
図１２は、図１１に示された自己制御型ヒーター装置の第１具体例の要部断面図である。本体６の壁面内部には本体断熱材８２が充填され、本体内壁面６ａは断熱部材８０を介して本体６と断熱されている。
【００４５】
開閉扉２２は一点鎖線によって示され、凸面２６は本体空間１２に入り込んでいる。開閉扉２２の周壁面２４は本体６の正面周壁面１０と閉鎖状態では接触する。この接触部分は内部の冷却を受けたり、開放時に外部の湿気を吸収するため、霜が付着しやすい。
【００４６】
従って、この第１具体例では、この接触部分に自己制御型ヒーター線４２を配線する。霜取り動作では、この接触部分が自己制御動作によって加熱され、霜取りが行なわれる。しかも上昇最大温度Ｔ0は爆発性雰囲気の発火温度Ｔ1より低温に設定されているから、発火せず誘爆は生じない。また自己制御型ヒーター線４２自体からは放電しないので、極めて安全に霜取り動作が行なわれる。しかも、断熱部材８０によって加熱時に本体内壁面６ａへの熱伝達はない。
【００４７】
図１３は、図１１に示された自己制御型ヒーター装置の第２具体例の要部断面図である。正面周壁面１０は断熱部材８０、８０によって本体内壁面６ａと本体外壁面６ｂから断熱されている。正面周壁面１０の両側角部に自己制御型ヒーター線４２、４２が配線されており、正面周壁面の霜取り制御を行なう。しかも、断熱部材８０、８０によって本体内壁面６ａ及び本体外壁面６ｂへの熱伝達は遮断されている。
【００４８】
図１４は、自己制御型ヒーター装置を用いた防爆型恒温槽や乾燥機に使用する放熱板の平面図である。放熱板９０の中央部に自己制御型ヒーター装置４０が設けられ、一端に端末処理部５４、他端に電源接続部６０を有して構成されている。放熱板９０の左右には多数の放熱用フィン９２，９２が形成されている。
【００４９】
このように自己制御型ヒーター装置４０を放熱板９０と一体化すると、発熱しても直ぐに放熱するため、温度がなかなか上昇しない。従って、放熱板がない場合よりも自己制御型ヒーター装置４０の発熱電力を大きくすることができる。
【００５０】
図１５は、図１４の正面図である。この放熱板９０は、例えばアルミインゴットから形成され、このような放熱板９０と一体化して自己制御型ヒーター装置４０を電気装置の所要部位に固定すれば、発熱電力の増大と同時に、熱伝達面積も増大できる効果がある。
【００５１】
図１６は、自己制御型ヒーター装置を備えた防爆型恒温槽（乾燥機又は温蔵庫でもよい）の斜視図である。図1と同一部分には同一番号を付してその説明を省略し、異なる部分だけを次に説明する。
【００５２】
本体空間１２の天井にはファン２８が取着されており、本体空間１２に対流を生起させて本体空間全体の温度を一定化させている。本体空間１２の左右の側面１４、１４には自己制御型ヒーター線４２を渦巻状に埋設して自己制御型ヒーター装置４０が構成されている。
【００５３】
自己制御型ヒーター線４２の一端には端末処理部５４が形成され、他端は電圧印加用の電源接続部６０となっている。電源接続部６０から電圧を印加してヒーターを作動させ、発生した熱をファン２８により対流攪拌して本体空間１２の温度を上昇させる。
【００５４】
この温度上昇を適宜に制御する事によって恒温槽としての温度調節が可能になる。また、この温度上昇によって乾燥機としても機能を発揮し、更に温蔵庫としても機能することができる。しかし、この自己制御型ヒーター装置４０は自己制御性によって最大温度Ｔ０以上には本体空間１２を加熱することがないから、爆発性雰囲気の発火温度Ｔ１にまで温度上昇することはなく、極めて安全である。
【００５５】
このような安全機能は、自己制御型ヒーター装置４０を備えた防爆型冷凍冷蔵庫、防爆型恒温槽、防爆型乾燥機、防爆型温蔵庫以外の各種の防爆型電気装置でも発揮されることは勿論である。
【００５６】
本発明は上記実施形態に限定されるものではなく、本発明の技術的思想を逸脱しない範囲における種々の変形例や設計変更などをその技術的範囲内に包含することは云うまでもない。
【００５７】
【発明の効果】
本発明では、防爆型冷凍・冷蔵庫のドレンパンの底板、ドレン管部、ファン周辺部及び正面周壁面に自己制御型ヒーター装置を用いた霜取り装置を設けると共に、防爆型冷凍・冷蔵庫に配置されるヒーター装置を、加熱制御部を爆発性雰囲気の発火温度以上に温度上昇させない構成の自己制御型ヒーター装置としているから、その自己制御性により爆発性雰囲気の発火温度を超えて加熱されることがない。その結果、誘爆の危険性が全くなく極めて安全である。
【００５８】
また、平行な２本の導線の間に自己制御型発熱抵抗体を形成し、これを外部から絶縁被覆によりコーティングすることにより自己制御型ヒーター線を構成しているため、電気火花を発する事がなく、火花による誘爆を完全に防止できる。更に、端末は電気絶縁された端末処理部として構成されているため、端部からの電気火花による誘爆も遮断できる。
【００５９】
加えて、自己制御型発熱抵抗体として導電性ポリマー発熱体を使用しているから、抵抗体の表面を極めて緻密且つ平滑に形成でき、電気火花を発生するような先鋭部位がないので、極めて安全な防爆型冷凍・冷蔵庫を提供できる。
【００６０】
上述の如く、本発明に係る防爆型冷凍・冷蔵庫は、爆発性雰囲気の中での使用中に於いても、安全に霜取り装置を作動させることができる。
その結果、この種防爆型冷凍・冷蔵庫における水分の凍結による各種のトラブルを完全に、しかもより安全に防止することが可能となり、高度の安全性を要求する市場の実用的基準に応えることができるうえ、比較的安価に提供する事ができる。
【図面の簡単な説明】
【図１】  本発明の一実施形態である防爆型冷凍冷蔵庫の概略斜視図である。
【図２】  本発明に用いられる自己制御型ヒーター線の概略図である。
【図３】  本発明に用いられる自己制御型ヒーター線の電流図である。
【図４】  自己制御型ヒーター線の電気特性図である。
【図５】  自己制御型ヒーター線の端末処理部の断面図である。
【図６】  ドレンパンに設けられた自己制御型ヒーター装置の概略斜視図である。
【図７】  図６のＡ−Ａ線要部断面図である。
【図８】  ドレン管に設けられた自己制御型ヒーター装置の概略断面図である。
【図９】図８のＢ−Ｂ線断面図である。
【図１０】  ファン近傍に設けられた自己制御型ヒーター装置の概略断面図である。
【図１１】  冷凍庫本体の正面周壁面に設けられた自己制御型ヒーター装置の概略説明図である。
【図１２】  図１１に示された自己制御型ヒーター装置の第１具体例の要部断面図である。
【図１３】  図１１に示された自己制御型ヒーター装置の第２具体例の要部断面図である。
【図１４】  放熱板に設けられた自己制御型ヒーター装置の平面図である。
【図１５】  図１４の正面図である。
【図１６】  自己制御型ヒーター装置を内面に備えた恒温槽（乾燥機又は温蔵庫）の概略斜視図である。
【符号の説明】
２は防爆型冷凍冷蔵庫、４は耐圧防爆容器、６は本体、８は脚部、１０は正面周壁面、１２は本体空間、１４は側面、１６は底面、１８は背面、２０は天井面、２２は開閉扉、２４は周壁面、２６は凸面、２８はファン、３０は開口部、３２は仕切板、３２ａは環状突起、３４は冷却器、３６はドレンパン、３６ａは底板、３６ｂは下受皿、４０は自己制御型ヒーター装置、４２は自己制御型ヒーター線、４４ａ・４４ｂは導線、４６は自己制御型発熱抵抗体、４８は絶縁被覆、５０は金属編組、５２は外層被覆、５４は端末処理部、５５は電源、６０は電源接続部、６２は断熱材、６４はシリコン充填部、６６は垂下板、７０はドレン管、７２はアルミ箔テープ、７４は断熱材、７６はアルミ箔テープ、８０は断熱部材、８２は本体断熱材、９０は放熱板、９２は放熱用フィン、９４は恒温槽（乾燥機又は温蔵庫）。
【図１】
0003684176.tif 000002
【図２】
0003684176.tif 000003
【図３】
0003684176.tif 000004
【図４】
0003684176.tif 000005
【図５】
0003684176.tif 000006
【図６】
0003684176.tif 000007
【図７】
0003684176.tif 000008
【図８】
0003684176.tif 000009
【図９】
0003684176.tif 000010
【図１０】
0003684176.tif 000011
【図１１】
0003684176.tif 000012
【図１２】
0003684176.tif 000013
【図１３】
0003684176.tif 000014
【図１４】
0003684176.tif 000015
【図１５】
0003684176.tif 000016
【図１６】
0003684176.tif 000017